(57)【要約】【課題】  チャンネルの数が多くても、わかりやすく操作しやすくする。【解決手段】  テレビ２０は、チューナ２２と、選局チャンネルを表わす情報を、選局チャンネルの順序を特定できるように記憶するメモリ３０と、ユーザの指示を受付けるリモコン受信部３６と、チューナ２２が受信した放送を表示する表示部４０と、チューナ２２が選局チャンネルの放送を受信中にリモコン受信部３６が所定の指示を受付けると、対応チャンネルを選局するように、チューナ２２が放送を受信するチャンネルを設定する制御部３８とを含む。対応チャンネルは、所定の指示の受付前にチューナ２２が放送を受信していたチャンネルに対する順序の差が選局チャンネルの総数の半分に対し小数点以下の値の切上げおよび切下げのいずれかをした値に等しい。【選択図】        図１
2006237984.tif 000002
【特許請求の範囲】
【請求項１】
チューナと、
チャンネルの総数が奇数で、かつ前記チューナが選局できるチャンネルである選局チャンネルのうち複数のチャンネルの、選局チャンネルを表わす情報を、１つの対応チャンネルに対応付け、かつ前記選局チャンネルの順序を特定できるように記憶するための記憶手段と、
ユーザの指示を受付けるための受付手段と、
前記チューナが選局チャンネルの放送を受信中に前記受付手段が所定の指示を受付けると、前記チューナが受信中の選局チャンネルに対応する対応チャンネルを選局するように、前記チューナが放送を受信するチャンネルを設定するための設定手段と、
前記チューナが受信した放送を表示するための表示手段とを含み、
前記対応チャンネルは、前記所定の指示の受付前に前記チューナが放送を受信していたチャンネルに対する前記順序の差が選局チャンネルの総数の半分に対し小数点以下の値の切上げおよび切下げのいずれかをした値に等しい選局チャンネルである、受像装置。
【請求項２】
コンテンツの信号をチャンネルに対応付けて記憶するための第１の記憶手段と、
チャンネルの総数が奇数で、かつ前記コンテンツの信号を対応付けたチャンネルである選局チャンネルのうち複数のチャンネルの選局チャンネルを表わす情報を、１つの対応チャンネルに対応付け、かつ前記選局チャンネルの順序を特定できるように記憶するための第２の記憶手段と、
ユーザの指示および前記チャンネルごとのコンテンツの選択を受付けるための受付手段と、
前記受付手段が所定の指示を受付けると、前記所定の指示の受付前にコンテンツの選択の対象となっていた選局チャンネルに対応する対応チャンネルを、コンテンツの選択の対象のチャンネルとして設定するための設定手段と、
前記コンテンツの信号を出力するための出力手段とを含み、
前記対応チャンネルは、前記所定の指示の受付前にコンテンツの選択の対象となっていた選局チャンネルに対する前記順序の差が選局チャンネルの総数の半分に対し小数点以下の値の切上げおよび切下げのいずれかをした値に等しい選局チャンネルである、録画装置。
【請求項３】
チューナと、
前記チューナが選局できるチャンネルである選局チャンネルを表わす情報を、前記選局チャンネルの順序を特定できるように記憶するための記憶手段と、
ユーザの指示を受付けるための受付手段と、
前記チューナが選局チャンネルの放送を受信中に前記受付手段が所定の指示を受付けると、前記チューナが受信中の選局チャンネルに対応する対応チャンネルを選局するように、前記チューナが放送を受信するチャンネルを設定するための設定手段と、
前記チューナが受信した放送を表示するための表示手段とを含み、
前記対応チャンネルは、前記所定の指示の受付前に前記チューナが放送を受信していたチャンネルに対する前記順序の差が選局チャンネルの総数の半分に対し小数点以下の値の切上げおよび切下げのいずれかをした値に等しい選局チャンネルである、受像装置。
【請求項４】
前記記憶手段は、前記選局チャンネルを表わす情報を、対応チャンネルと対応付けて記憶するための手段を含む、請求項３に記載の受像装置。
【請求項５】
前記対応チャンネルと対応付けて記憶するための手段は、チャンネルの総数が奇数である選局チャンネルのうち複数のチャンネルの、選局チャンネルを表わす情報を、１つの対応チャンネルに対応付けて記憶するための手段を含む、請求項４に記載の受像装置。
【請求項６】
コンテンツの信号をチャンネルに対応付けて記憶するための第１の記憶手段と、
前記チャンネルを表わす情報を、前記チャンネルの順序を特定できるように記憶するための第２の記憶手段と、
ユーザの指示および前記チャンネルごとのコンテンツの選択を受付けるための受付手段と、
前記受付手段が所定の指示を受付けると、前記所定の指示の受付前にコンテンツの選択の対象となっていたチャンネルに対応する対応チャンネルを、コンテンツの選択の対象のチャンネルとして設定するための設定手段と、
前記コンテンツの信号を出力するための出力手段とを含み、
前記対応チャンネルは、前記所定の指示の受付前にコンテンツの選択の対象となっていたチャンネルに対する前記順序の差が選局チャンネルの総数の半分に対し小数点以下の値の切上げおよび切下げのいずれかをした値に等しい選局チャンネルである、録画装置。
【発明の詳細な説明】
【技術分野】
【０００１】
この発明は受像装置および録画装置に関し、特に、付加的な情報を表示する受像装置および録画装置に関する。
【背景技術】
【０００２】
特許文献１は、チャンネル番号を順送りするボタンと、チャンネル番号を逆送りするボタンとを有するチャンネル選局装置において、チャンネル番号を順送りするボタンが押し続けられているときには複数チャンネルずつ順送りしてチャンネル番号を設定し、チャンネル番号を逆送りするボタンが押し続けられているときには複数チャンネルずつ逆送りしてチャンネル番号を設定することを特徴とするチャンネル選局装置を開示する。
【０００３】
この発明によると、操作部のボタン数を増やさず、わかりやすく操作しやすい操作部を持ち、短時間で任意のチャンネルを選局できる。
【０００４】
特許文献２は、グループ化されたチャンネル群を割当キーに対応付ける装置と、チャンネル群の選局関連情報を格納するメモリと、割当キーが操作されたときに対応するチャンネル群のなかの一つのチャンネルの選局処理を行う回路とを備え、割当キーが操作されてから目的のチャンネルを選択するための選局操作処理が二以上用意されており、各割当キーのチャンネル数が所定数を上回るかどうかに応じて選局操作処理が自動選択されるように構成されたことを特徴とするデジタル放送受信装置を開示する。
【０００５】
この発明によると、割当キーのチャンネル数を考慮して、選局の際の操作性を向上させることができる。
【特許文献１】特開平８−２９８４４２号公報
【特許文献２】特開２００４−１６５８６２公報
【発明の開示】
【発明が解決しようとする課題】
【０００６】
しかし、前述の特許文献１に開示された発明では、チャンネルの数が多くなるにつれ、操作が困難になりやすいという問題点がある。特許文献２に開示された発明では、１つのキーにどのようなチャンネル群が割当てられているか知らなければ、操作の方法がわかりにくくなることがあるという問題点がある。
【０００７】
本発明は上述の問題点を解決するためになされたものであって、その目的は、チャンネルの数が多くても、わかりやすく操作しやすい受像装置および録画装置を提供することにある。
【課題を解決するための手段】
【０００８】
上記目的を達成するために、本発明のある局面にしたがうと、受像装置は、チューナと、チャンネルの総数が奇数で、かつチューナが選局できるチャンネルである選局チャンネルのうち複数のチャンネルの、選局チャンネルを表わす情報を、１つの対応チャンネルに対応付け、かつ選局チャンネルの順序を特定できるように記憶するための記憶手段と、ユーザの指示を受付けるための受付手段と、チューナが選局チャンネルの放送を受信中に受付手段が所定の指示を受付けると、チューナが受信中の選局チャンネルに対応する対応チャンネルを選局するように、チューナが放送を受信するチャンネルを設定するための設定手段と、チューナが受信した放送を表示するための表示手段とを含む。対応チャンネルは、所定の指示の受付前にチューナが放送を受信していたチャンネルに対する順序の差が選局チャンネルの総数の半分に対し小数点以下の値の切上げおよび切下げのいずれかをした値に等しい選局チャンネルである。
【０００９】
すなわち、設定手段は、受付手段が所定の指示を受付けると、対応チャンネルを選局するように、チューナが放送を受信するチャンネルを設定する。対応チャンネルは、所定の指示の受付前にチューナが放送を受信していたチャンネルに対する選局チャンネルの順序の差が、選局チャンネルの総数の半分に対し小数点以下の値の切上げおよび切下げのいずれかをした値に等しい。これにより、チャンネルの数が多くても、受信したいチャンネルを受信できるように、容易に操作できる。設定される対応チャンネルは、わかりやすくなる。対応チャンネルが選局チャンネルに予め対応付けられているので、設定される対応チャンネルは、特にわかりやすい。対応チャンネルが複数の選局チャンネルに対応するので、選局チャンネルの総数が奇数であっても、設定される対応チャンネルは、わかりやすくなる。その結果、チャンネルの総数が多くかつ奇数であっても、特にわかりやすく操作しやすい受像装置を提供することができる。
【００１０】
本発明の他の局面にしたがうと、録画装置は、コンテンツの信号をチャンネルに対応付けて記憶するための第１の記憶手段と、チャンネルの総数が奇数で、かつコンテンツの信号を対応付けたチャンネルである選局チャンネルのうち複数のチャンネルの選局チャンネルを表わす情報を、１つの対応チャンネルに対応付け、かつ選局チャンネルの順序を特定できるように記憶するための第２の記憶手段と、ユーザの指示およびチャンネルごとのコンテンツの選択を受付けるための受付手段と、受付手段が所定の指示を受付けると、所定の指示の受付前にコンテンツの選択の対象となっていた選局チャンネルに対応する対応チャンネルを、コンテンツの選択の対象のチャンネルとして設定するための設定手段と、コンテンツの信号を出力するための出力手段とを含む。対応チャンネルは、所定の指示の受付前にコンテンツの選択の対象となっていた選局チャンネルに対する順序の差が選局チャンネルの総数の半分に対し小数点以下の値の切上げおよび切下げのいずれかをした値に等しい選局チャンネルである。
【００１１】
すなわち、設定手段は、受付手段が所定の指示を受付けると、対応チャンネルを、コンテンツの選択の対象のチャンネルとして設定する。対応チャンネルは、所定の指示の受付前にコンテンツの選択の対象となっていた選局チャンネルに対するチャンネルの順序の差がチャンネルの総数の半分に対し小数点以下の値の切上げおよび切下げのいずれかをした値に等しい。これにより、チャンネルの数が多くても、選択したいコンテンツを選択できるように、容易に操作できる。設定される対応チャンネルは、わかりやすくなる。対応チャンネルが予め対応付けられているので、設定される対応チャンネルは、特にわかりやすくなる。対応チャンネルが複数の選局チャンネルに対応するので、チャンネルの総数が奇数であっても、設定される対応チャンネルは、わかりやすくなる。その結果、チャンネルの総数が多くかつ奇数であっても、特にわかりやすく操作しやすい録画装置を提供することができる。
【００１２】
本発明の他の局面にしたがうと、受像装置は、チューナと、チューナが選局できるチャンネルである選局チャンネルを表わす情報を、選局チャンネルの順序を特定できるように記憶するための記憶手段と、ユーザの指示を受付けるための受付手段と、チューナが選局チャンネルの放送を受信中に受付手段が所定の指示を受付けると、チューナが受信中の選局チャンネルに対応する対応チャンネルを選局するように、チューナが放送を受信するチャンネルを設定するための設定手段と、チューナが受信した放送を表示するための表示手段とを含む。対応チャンネルは、所定の指示の受付前にチューナが放送を受信していたチャンネルに対する順序の差が選局チャンネルの総数の半分に対し小数点以下の値の切上げおよび切下げのいずれかをした値に等しい。
【００１３】
すなわち、設定手段は、チューナが選局チャンネルの放送を受信中に受付手段が所定の指示を受付けると、対応チャンネルを選局するように、チューナが放送を受信するチャンネルを設定する。対応チャンネルは、所定の指示の受付前にチューナが放送を受信していたチャンネルに対する選局チャンネルの順序の差が、選局チャンネルの総数の半分に対し小数点以下の値の切上げおよび切下げのいずれかをした値に等しい。これにより、チャンネルの数が多くても、受信したいチャンネルを受信できるように、容易に操作できる。設定される対応チャンネルは、わかりやすくなる。その結果、チャンネルの総数が多くても、わかりやすく操作しやすい受像装置を提供することができる。
【００１４】
また、上述の記憶手段は、選局チャンネルを表わす情報を、対応チャンネルと対応付けて記憶するための手段を含むことが望ましい。
【００１５】
すなわち、記憶手段は、選局チャンネルを表わす情報を、対応チャンネルと対応付けて記憶する。これにより、対応チャンネルが選局チャンネルに予め対応付けられているので、設定される対応チャンネルは、特にわかりやすくなる。その結果、チャンネルの総数が多くても、特にわかりやすく操作しやすい受像装置を提供することができる。
【００１６】
また、上述の対応チャンネルと対応付けて記憶するための手段は、チャンネルの総数が奇数である選局チャンネルのうち複数のチャンネルの、選局チャンネルを表わす情報を、１つの対応チャンネルに対応付けて記憶するための手段を含むことが望ましい。
【００１７】
すなわち、記憶手段は、チャンネルの総数が奇数である選局チャンネルのうち複数のチャンネルの、選局チャンネルを表わす情報を、１つの対応チャンネルに対応付けて記憶する。これにより、選局チャンネルの総数が奇数であっても、設定される対応チャンネルは、特にわかりやすくなる。その結果、チャンネルの総数が多くかつ奇数であっても、特にわかりやすく操作しやすい受像装置を提供することができる。
【００１８】
本発明の他の局面にしたがうと、録画装置は、コンテンツの信号をチャンネルに対応付けて記憶するための第１の記憶手段と、チャンネルを表わす情報を、チャンネルの順序を特定できるように記憶するための第２の記憶手段と、ユーザの指示およびチャンネルごとにコンテンツの選択を受付けるための受付手段と、受付手段が所定の指示を受付けると、所定の指示の受付前にコンテンツの選択の対象となっていたチャンネルに対する対応チャンネルを、コンテンツの選択の対象のチャンネルとして設定するための設定手段と、コンテンツの信号を出力するための出力手段とを含む。対応チャンネルは、所定の指示の受付前にコンテンツの選択の対象となっていたチャンネルに対する順序の差が選局チャンネルの総数の半分に対し小数点以下の値の切上げおよび切下げのいずれかをした値に等しい。
【００１９】
すなわち、設定手段は、受付手段が所定の指示を受付けると、対応チャンネルを、コンテンツの選択の対象のチャンネルとして設定する。対応チャンネルは、所定の指示の受付前にコンテンツの選択の対象となっていたチャンネルに対するチャンネルの順序の差がチャンネルの総数の半分に対し小数点以下の値の切上げおよび切下げのいずれかをした値に等しい。これにより、チャンネルの数が多くても、選択したいコンテンツを選択できるように、容易に操作できる。設定される対応チャンネルは、わかりやすくなる。その結果、チャンネルの総数が多くても、わかりやすく操作しやすい録画装置を提供することができる。
【発明の効果】
【００２０】
本発明に係る受像装置および録画装置は、チャンネルの総数が多くても、わかりやすくかつ操作しやすくできる。
【発明を実施するための最良の形態】
【００２１】
＜第１の実施の形態＞
以下、この発明の実施の形態について図面を参照して説明する。図１のテレビ２０は、放送信号を受信し、視聴可能な映像および音声として出力する受像装置である。
【００２２】
テレビ２０は、放送局から送信される放送信号ＤＳを受信する外部のアンテナ２２２を接続するチューナ２２、外部からデジタル情報を供給するための外部装置５０を接続する回路である外部Ｉ／Ｆ（Inter Face）２４、ＯＳＤ（On Screen Display)２６２を内蔵するデコーダ２６、チューナ２２が出力した信号を増幅する回路であるフロントエンド２８、記憶装置であるメモリ３０、映像出力部３２、音声出力部３４、リモコン（リモートコントローラの略）受信部３６、制御部３８、チューナ２２が受信した放送を映像や音声として表示し、出力する表示部４０、リモコン５２を備える。
【００２３】
チューナ２２は、アンテナ２２２を介して放送局から発信される放送信号ＤＳを入力すると、制御部３８により指定されるチャンネルの放送信号を抽出する装置である。抽出された信号は制御部３８に出力される。
【００２４】
デコーダ２６は、チューナ２２が受信したデジタル放送の信号および外部Ｉ／Ｆ２４を介して外部装置５０から入力したデジタルコンテンツの信号のうちのいずれかが制御部３８の切換制御により与えられると、与えられたそのデジタル信号を入力して復号（デコード）して出力する装置である。デコーダ２６が内蔵するＯＳＤ２６２は制御部３８により与えられた情報に基づいて画像データを生成し、それを、表示部４０の画面に表示するために映像出力部３２に対して出力する。
【００２５】
メモリ３０には、予めオートスキャン（放送信号ＤＳについて受信可能なチャンネルを設定すること）して取得された、チューナ２２が選局できるチャンネルである選局チャンネルの情報と、制御部３８の動作プログラムとが記憶される。選局チャンネルの情報は、後述するチャンネルマップ３０２として記憶される。
【００２６】
映像出力部３２は、デコーダ２６が復号した映像信号を表示部４０が表示可能な映像信号に変換して表示部４０に対して出力する回路である。音声出力部３４は、デコーダ２６が復号した音声信号を表示部４０が出力可能な音声信号に変換して表示部４０に対して出力する回路である。
【００２７】
リモコン受信部３６は、赤外線を介してリモコン５２から発信される各種の指令信号を受信して、その指令信号を制御部３８に伝送する回路である。
【００２８】
制御部３８は、メモリ３０に記憶された動作プログラムに基づいて装置各部の制御を行なう回路である。リモコン５２は、ユーザが各種の指令を入力するために操作される装置であり、該指令に対応する赤外線信号を発信する装置である。
【００２９】
図２を参照して、リモコン５２には外部操作可能なように各種キーが設けられる。各種キーには、テレビ２０の電源をＯＮ／ＯＦＦするための電源キー５２２、チューナ２２が受信する放送を切替え指定（本実施の形態の場合、チューナ２２が現在受信中のチャンネルに対してチャンネルマップ３０２における選局チャンネルの順序が隣合うチャンネルを指定することをいう）するために操作される正方向キー５２４および逆方向キー５２６、チューナ２２が受信する放送を反転指定する（本実施の形態における「反転」の具体的な内容は後述する）ために操作される反転キー５２８、放送信号ＤＳの受信チャンネルを個別に選択して切替えるためのチャンネル番号指定のためのテンキー５３０が含まれる。正方向キー５２４と逆方向キー５２６は、放送信号ＤＳについての受信チャンネルをＵＰ/ＤＯＷＮ操作によりチャンネルマップ３０２に記憶された順番で切替えるために操作される。
【００３０】
図３を参照して、チャンネルマップ３０２は、選局チャンネルのチャンネル番号を表わす情報と、入力の経路を表わす情報と、対応チャンネルのチャンネル番号を表わす情報とが含まれている。
【００３１】
本実施の形態の場合、選局チャンネルのチャンネル番号（地上波のデジタル放送であればチャンネル番号は２−１、２−２、・・・、９９−９９となる。地上波のアナログ放送であればチャンネル番号は２、３、・・・、６９となる。ケーブルテレビによる放送であればチャンネル番号は１、２、・・・、１２０（もしくは１３０）となる。）を表わす情報として、選局チャンネルのチャンネル番号を表わす情報（図３において、「ＣＨ」はチャンネル番号であることを表わす。）に加え、外部装置５０から入力されるデジタルコンテンツを表わす情報（外部装置５０から入力されるデジタルコンテンツの情報は、外部装置５０の名称（−１、−２）により表わされる。図３において、「ＡＵＸ」は外部装置５０の名称であることを表わす。）が含まれている。メモリ３０は、選局チャンネルのチャンネル番号を表わす情報と、外部装置５０から入力されるデジタルコンテンツを表わす情報を記憶することとなる。これにより、本実施の形態では、外部装置５０が、選局チャンネルの一種として扱われることとなる。これらの情報は、予めユーザにより定められた順序で記憶されている。これにより、メモリ３０は、チューナ２２が選局できるチャンネルを表わす情報を、チャンネルの順序を特定できるように記憶することとなる。
【００３２】
入力の経路を表わす情報は、チャンネル番号に対応する情報の場合“ＯＮ  ＡＩＲ”である。これにより、放送信号ＤＳの放送局がコンテンツの供給源であることが示される。外部装置５０の名称に対応する情報の場合、入力の経路を表わす情報は“ＡＵＸ  ｉｎｐｕｔ” である。これにより、外部装置５０がコンテンツの供給源であることが示される。
【００３３】
対応チャンネルのチャンネル番号を表わす情報は、選局チャンネルやデジタルコンテンツが、どの選局チャンネルまたはデジタルコンテンツに対応するかを表わす情報である。たとえば本実施の形態の場合、選局チャンネル「２−１」は対応チャンネルである選局チャンネル「４−２」に対応する。
【００３４】
チャンネルマップ３０２はユーザが表示部４０に出力を所望するチャンネルやコンテンツを選択するために制御部３８により参照（アクセス）される。具体的にはリモコン５２の正方向キー５２４、逆方向キー５２６、または反転キー５２８が押下される毎に、制御部３８はチューナ２２が受信する選局チャンネルを切替えて選択する。たとえば、図３に示すように、現在、横向きの矢印で示されているチャンネルが選択されて受信されていたと想定する。ユーザは、出力するコンテンツの切換を所望して正方向キー５２４を押下すると、押下する毎に制御部３８は図３における下方向に１つずつ受信する選局チャンネルを切換選択し、選択したチャンネルを受信するように制御し、逆に逆方向キー５２６を押下すると、押下する毎に図３における上方向に１つずつ受信する選択チャンネルを切換選択し、選択したチャンネルを受信するように制御する。
【００３５】
リモコン５２の反転キー５２８が押下される毎に、制御部３８はチューナ２２が受信する選択チャンネルが反転するように選択する。具体的には、リモコン５２の反転キー５２８が押下される毎に、制御部３８はチューナ２２が受信する選択チャンネルを、チューナ２２が受信中の選択チャンネルに対応する別の選局チャンネル（すなわち対応チャンネル）に切替えて選択する。前述したように、ある選局チャンネルがどの選局チャンネルに対応するかは、対応チャンネルのチャンネル番号を表わす情報によって特定されている。図４は、本実施の形態における、選局チャンネルや外部入力同士の対応関係を表わす図である（本実施の形態において、図４での反時計回りの方向を「正方向」と称し、時計回りの方向を「逆方向」と称する）。図４において、矢印で結ばれた選局チャンネル同士が対応付けられている。図４から明らかなように、対応付けられたチャンネル同士は、チャンネルマップ３０２に記憶されているチャンネルの中で、選局するために正方向キー５２４および逆方向キー５２６を最も多く押す必要があるチャンネルである。
【００３６】
正方向キー５２４、逆方向キー５２６、または反転キー５２８を操作する毎に、チャンネルマップ３０２を参照することにより、チューナ２２が受信するチャンネルを反転できる。このとき制御部３８は、入力の経路を表わす情報（選択したチャンネルに対応する情報）に基づいてデコーダ２６に与える信号を切替える。入力の経路を表わす情報が“ＯＮ  ＡＩＲ”を示せばデコーダ２６に対してチューナ２２の出力信号を与えるように切替える。入力の経路を表わす情報が“ＡＵＸ  ｉｎｐｕｔ” を示せば外部Ｉ／Ｆ２４の出力信号を与えるように切替える。
【００３７】
切替えた後、制御部３８は、リモコン受信部３６が受付けた信号を識別し、かつ入力の経路を表わす情報を参照して、その信号が表わす選局チャンネルの信号が、チューナ２２により受信される（または外部Ｉ／Ｆ２４により受付けられる）ように、チューナ２２または外部Ｉ／Ｆ２４を制御する。たとえば、チューナ２２の出力信号に切替えられた場合には、放送信号を受信するようにチューナ２２を制御し、外部Ｉ／Ｆ２４の出力信号に切替えられている場合には外部装置５０から与えられる信号を受付けるように外部Ｉ／Ｆ２４を制御する。
【００３８】
図５のフローチャートに従い、チャンネルマップ３０２を参照したコンテンツ切換選択の手順について説明する。
【００３９】
ステップＳ１００（以下、単にＳと略す）にて、リモコン５２の電源キー５２２が操作されると、この操作による指令信号はリモコン受信部３６を介して制御部３８に与えられるので、制御部３８はテレビ２０の電源を入れる。
【００４０】
Ｓ１０２にて、制御部３８はメモリ３０からチャンネルマップ３０２を読出す。チャンネルマップ３０２が読出されると、制御部３８は、読出された情報のいずれかを表示するように、ＯＳＤ２６２を制御する。Ｓ１０４にて、制御部３８はリモコン受信部３６からの入力信号に基づいてユーザにより正方向キー５２４、逆方向キー５２６、または反転キー５２８が操作されたか否を判断する。正方向キー５２４、逆方向キー５２６、または反転キー５２８が操作されたと判断した場合（Ｓ１０４にてＹＥＳ）、処理はＳ１０６へと移される。もしそうでないと（Ｓ１０４にてＮＯ）、処理はＳ１０４へと戻される。
【００４１】
Ｓ１０６にて、制御部３８は、入力の経路を表わすの情報のうちユーザにより選択された選局チャンネルに対応する情報に基づいて、デコーダ２６（選局チャンネルによってはフロントエンド２８）に与える信号を切替える。信号が切替えられると、制御部３８は、選択されたチャンネルと、チャンネル選択の前にチューナ２２が同調していたチャンネル（元のチャンネル）と、選択されたチャンネルに対応付けられたチャンネルとの、チャンネル番号の情報をＯＳＤ２６２に出力する。ＯＳＤ２６２は、出力された情報を表わす画像を表示部４０に表示させる。
【００４２】
Ｓ１０８にて、制御部３８は、リモコン受信部３６がリモコン５２からの信号に基づき、リモコン５２の電源キー５２２が操作されたか否かを判断する。リモコン５２の電源キー５２２が操作されたと判断した場合（Ｓ１０８にてＹＥＳ）、処理は終了する。もしそうでないと（Ｓ１０８にてＮＯ）、処理はＳ１０４へと移される。
【００４３】
以上のような構造およびフローチャートに基づく、テレビ２０の動作について説明する。
【００４４】
リモコン５２の電源キー５２２が操作されると、この操作による指令信号はリモコン受信部３６を介して制御部３８に与えられるので、制御部３８はテレビ２０の電源を入れる（Ｓ１００）。電源が入れられると、制御部３８はメモリ３０からチャンネルマップ３０２を読出す（Ｓ１０２）。今、チャンネルマップ３０２においては図３の横向きの矢印が示すように、チャンネル「２−１」が選択されていると想定する。図６は、このときテレビ２０が表示する画像を表わす図である。
【００４５】
チャンネルマップ３０２が読出されると、制御部３８はリモコン受信部３６からの入力信号に基づいてユーザにより正方向キー５２４、逆方向キー５２６、または反転キー５２８が操作されたか否を判断する（Ｓ１０４）。ここで、ユーザが正方向キー５２４を押下すると（Ｓ１０４にてＹＥＳ）、図３の横向きの矢印で指定されるチャンネルは、１つ下の欄に示されたチャンネル「２−２」に変更される。制御部３８は、入力の経路を表わすの情報のうちユーザにより選択された選局チャンネルに対応する情報に基づいて、デコーダ２６に与える信号を切替える。信号が切替えられると、制御部３８は、選択されたチャンネルと、元のチャンネルと、選択されたチャンネルに対応付けられたチャンネルとの、チャンネル番号を表示させる（Ｓ１０６）。図７は、信号が切替えられた結果、チャンネル「２−２」の放送が受信されている時に、テレビ２０が表示する画像を表わす図である。チャンネル「２−２」と、元のチャンネル「２−１」と、チャンネル「２−２」の対応チャンネル「４−３」との、チャンネル番号が表示されている。
【００４６】
信号が切替えられると、制御部３８は、リモコン５２の電源キー５２２が操作されたか否かを判断する（Ｓ１０８）。この場合、まだリモコン５２の電源キー５２２は操作されていないので（Ｓ１０８にてＮＯ）、制御部３８は正方向キー５２４、逆方向キー５２６、または反転キー５２８が操作されたか否を判断する（Ｓ１０４）。ここで、ユーザが正方向キー５２４を押下すると（Ｓ１０４にてＹＥＳ）、図３の横向きの矢印で指定されるチャンネルは、さらに１つ下の欄に示されたチャンネル「２−３」に変更される。制御部３８は、デコーダ２６に与える信号を切替える（Ｓ１０６）。図８は、信号が切替えられた結果、チャンネル「２−３」の放送が受信されている時に、テレビ２０が表示する画像を表わす図である。
【００４７】
信号が切替えられると、Ｓ１０８の処理を経て、制御部３８は正方向キー５２４、逆方向キー５２６、または反転キー５２８が操作されたか否を判断する（Ｓ１０４）。ここで、ユーザが正方向キー５２４を押下すると（Ｓ１０４にてＹＥＳ）、図３の横向きの矢印で指定されるチャンネルは、さらに１つ下の欄に示されたチャンネル「３−１」に変更される。制御部３８は、デコーダ２６に与える信号を切替える（Ｓ１０６）。図９は、信号が切替えられた結果、チャンネル「３−１」の放送が受信されている時に、テレビ２０が表示する画像を表わす図である。
【００４８】
信号が切替えられると、Ｓ１０８の処理を経て、制御部３８は正方向キー５２４、逆方向キー５２６、または反転キー５２８が操作されたか否を判断する（Ｓ１０４）。ここで、ユーザが逆方向キー５２６を押下すると（Ｓ１０４にてＹＥＳ）、図３の横向きの矢印で指定されるチャンネルは、１つ上の欄に示されたチャンネル「２−３」に変更される。制御部３８は、デコーダ２６に与える信号を切替える（Ｓ１０６）。その後、ユーザが逆方向キー５２６を押下するたびに、Ｓ１０４〜Ｓ１０８の処理が繰返される。図１０は、チューナ２２が放送を受信するチャンネルが「２−１」となった時点のテレビ２０が表示する画像を表わす図である。
【００４９】
テレビ２０の画面が図１０の状態となり、デコーダ２６に与える信号が切替えられると、Ｓ１０８の処理を経て、制御部３８は正方向キー５２４、逆方向キー５２６、または反転キー５２８が操作されたか否を判断する（Ｓ１０４）。ここで、ユーザが反転キー５２８を押下すると（Ｓ１０４にてＹＥＳ）、リモコン受信部３６がチャンネルを反転させる旨の指示を受信する。リモコン受信部３６がチャンネルを反転させる旨の指示を受付けると（Ｓ１０４にてＹＥＳ）、制御部３８は、デコーダ２６に与える信号を切替える（Ｓ１０６）。制御部３８は、デコーダ２６に与える信号を切替えることで、チューナ２２が放送を受信するチャンネルを設定することとなる。選局されるチャンネルは、チャンネルを入れ替える旨の指示の受付前にチューナ２２が放送を受信していたチャンネル「２−１」に対する選局チャンネルの順序の差が、次に説明する値に等しいチャンネル「４−１」である。その値とは、選局チャンネルの総数の半分に対し小数点以下の値の切上げおよび切下げのいずれかをした値である。図３のから明らかなように、本実施の形態の場合、対応チャンネルは、選局チャンネルごとに予め定められている。図１１は、信号が切替えられた結果、チャンネル「４−１」の放送が受信されている時に、テレビ２０が表示する画像を表わす図である。
【００５０】
以上のようにこの実施の形態によれば、ユーザは反転キー５２８の操作により、チャンネルを反転させることができる。チャンネルが反転されると、正方向キーおよび逆方向キーの操作と併用することで、選局に必要なキー操作の回数を約半分に減らすことができる。選局のためのキー操作の回数が減らされるので、受信できるチャンネル数が多い場合、ダイレクト選局でなくても、ユーザが観たいチャンネルを容易に選択できる。図１２を参照して、このことをより具体的に説明する。図１２は、チャンネルマップに選局チャンネルとして１００チャンネルが記憶されている場合の、チャンネル同士の関係を示す図である。図１２のように選局チャンネルが記憶され、かつチャンネル「１」が選局されているとき、反転キーが押されると、チャンネルは「４９」に入れ替えられる。正方向キーまたは逆方向キーを用いてチャンネル「４９」を選局しようとすると、４８回キーを操作する必要がある。本実施の形態にかかるテレビは、１回キーを操作すればチャンネル「４９」を選局できる。その選局のために設けるキーは１つである。
【００５１】
なお、ここでは、表示部４０に出力するコンテンツを選択的に指定するためにリモコン５２を用いたが、テレビ２０の図示されないフロントパネルに正方向キー５２４、逆方向キー５２６、または反転キー５２８に相当する機能のキーを設けて、フロントパネルから操作して指示を与えるようにしてもよい。
【００５２】
また、選局チャンネルの総数が奇数である場合、１つの対応チャンネルが、複数の選局チャンネルに対応してもよい。図１３は、チャンネルマップ３０２に登録されたチャンネルの総数が奇数である場合の、チャンネル同士の関係の一例を表わす図である。図１４は、図１３に示すチャンネルがメモリ３０に登録されている場合の、チャンネルマップの内容の一例を表わす図である。図１３および図１４から明らかな通り、チャンネル「２−１」は、チャンネル「３−２」および「４−２」に対応する。
【００５３】
また、選局チャンネルの総数が奇数である場合、あるチャンネルが実際には放送がなされていないチャンネル（ダミーチャンネル）と対応してもよい。この場合、対応するチャンネルがダミーチャンネルであれば、チャンネルマップには、対応チャンネルを表わす情報が含まれない（あるいは、「ＮＵＬＬ」などの所定の文字列の情報が含まれてもよい）。対応チャンネルがダミーチャンネルであれば、ユーザが反転キー５２８を押すと、表示部４０には砂嵐状の画像が表示されることとなる。
【００５４】
＜第２の実施の形態＞
以下、この発明の実施の形態について図面を参照して説明する。図１５のＤＶＤレコーダ６０は、公知のテレビ８０に、録画された信号を視聴可能な映像および音声として出力する装置である。
【００５５】
ＤＶＤレコーダ６０は、デコーダ２６、フロントエンド２８、メモリ３０、映像出力部３２、音声出力部３４、制御部３８、表示部４０に代えて、ＤＶＤ再生装置６２、ＨＤ装置６４、メモリ６６、映像出力部６８、音声出力部７０、制御部７２、デコーダ７４を備える。
【００５６】
ＤＶＤ再生装置６２は光ディスクに記録されたデジタルコンテンツの信号を読出す装置である。ＨＤ装置６４は、ユーザ所望のデジタルコンテンツの信号をハードディスクに記録し、その記録したデジタルコンテンツの信号を読出す装置である。本実施の形態の場合、このコンテンツの信号は、コンテンツが放送されたチャンネルの情報に対応付けられている。ここで、ハードディスクに記録される信号としては、たとえばＭＰＥＧ２（Motion Picture Experts Group 2）規格に準拠する映像ファイルやＭＰ３（MPEG-1 Audio Layer3）規格に準拠する音声ファイルなどが挙げられる。
【００５７】
メモリ６６は、予めオートスキャンして取得されたチューナ２２が受信可能な選局チャンネルの情報（コンテンツマップ６６２）と、制御部７２の動作プログラムと、ＨＤ装置６４にコンテンツ信号として記憶されたコンテンツの内容を、コンテンツが放送されたチャンネルに対応付けて表わすインデックスデータ６６４とを記憶する装置である。
【００５８】
図１６を参照して、コンテンツマップ６６２は、選局チャンネルを表わす情報と、対応チャンネルを表わす情報とを含む。メモリ６６には、コンテンツマップ６６２の一部として、選局チャンネルの、チャンネル番号の情報が選局チャンネルの順序を特定できるように記憶されている。図１７は、コンテンツマップ６６２の対応チャンネルの情報によって表わされる、チャンネル同士の対応関係を表わす図である。
【００５９】
映像出力部６８は、デコーダ７４が復号したコンテンツの信号をテレビ８０が出力可能な映像信号に変換し、テレビ８０に対して出力する回路である。音声出力部７０は、デコーダ７４が復号したコンテンツの信号をテレビ８０が出力可能な音声信号に変換し、テレビ８０に対して出力する回路である。
【００６０】
制御部７２は、メモリ６６に記憶された動作プログラムに基づいてＤＶＤレコーダ６０各部の制御を行なう。制御部７２は、ＨＤ装置６４から読出すコンテンツ群を切替える回路でもある。制御部７２は、正方向キー５２４、逆方向キー５２６、または反転キー５２８を操作する毎に、コンテンツマップ６６２およびインデックスデータ６６４を参照することにより、ＨＤ装置６４から読出すコンテンツ群を順次選択できる。このとき制御部７２はキー操作により選択されたチャンネルおよび対応チャンネルの情報に基づいて、読出すコンテンツ群を切替える。上述したように、本実施の形態の場合、コンテンツ群はそれらのコンテンツが放送されたチャンネルに対応付けられている（なお、本実施の形態の場合、ＤＶＤ再生装置６２から複写したコンテンツには、「ＤＶＤ」という文字列で表わされる仮想チャンネルが対応付けられる）。制御部７２は、切替えられたチャンネルに対応するコンテンツ信号をハードディスクから読出すように、ＨＤ装置６４を制御する回路でもある。
【００６１】
デコーダ７４は、ＤＶＤ再生装置６２により再生されたデジタルコンテンツの信号、ＨＤ装置６４がハードディスクから読出したデジタルコンテンツの信号、チューナ２２が受信したデジタル放送の信号および外部Ｉ／Ｆ２４を介して外部装置５０から入力したデジタルコンテンツの信号のうちのいずれかが制御部７２の切換制御により与えられると、与えられたそのデジタル信号を入力して復号（デコード）して出力する装置である。
【００６２】
なお、その他のハードウェア構成については前述の第１の実施の形態と同じである。それらについての機能も同じである。したがって、それらについての詳細な説明はここでは繰返さない。
【００６３】
図１８のフローチャートに従い、コンテンツマップ６６２を参照したコンテンツ切換選択の手順について説明する。なお、図１８に示すフローチャートの中で、前述の図５に示した処理は同じステップ番号を付してある。それらの処理も同じである。したがって、それらについての詳細な説明はここでは繰り返さない。
【００６４】
Ｓ１１０にて、制御部７２は、インデックスデータ６６４を参照し、ＯＳＤ２６２を介して、テレビ８０に、選択されたチャンネルに対応するコンテンツの情報を表示させる。Ｓ１１２にて、リモコン受信部３６は、リモコン５２からの、選択されるコンテンツを表わす信号を受付ける。Ｓ１１４にて、制御部７２は、デコーダ７４の入力をＨＤ装置６４に切替える。ＨＤ装置６４は、対応するコンテンツの信号をハードディスクから読出し、デコーダ７４に出力する。デコーダ７４は、信号を復号し、映像出力部６８に出力する。映像出力部６８は、復号された信号をテレビ８０に出力する。
【００６５】
以上のような構造およびフローチャートに基づく、ＤＶＤレコーダ６０の動作について説明する。
【００６６】
図１９は、Ｓ１００〜Ｓ１０２の処理が終了した時点でテレビ８０が表示する画像を表わす図である。その後、制御部７２はリモコン受信部３６からの入力信号に基づいてユーザにより正方向キー５２４、逆方向キー５２６、または反転キー５２８が操作されたか否を判断する（Ｓ１０４）。ここで、ユーザが反転キー５２８を押下げ、リモコン受信部３６がチャンネルを反転させる旨のユーザの指示を受付けると（Ｓ１０４にてＹＥＳ）、制御部７２は、メモリ６６のコンテンツマップ６６２を参照して、チャンネルを反転させる旨の指示の受付前にコンテンツの選択の対象となっていたチャンネルに対応する対応チャンネルを、コンテンツの選択の対象のチャンネルとして設定する。図１６の「対応するチャンネル」欄から明らかなように、本実施の形態の場合、反転させた後に設定されるチャンネルは、反転前のチャンネルごとに予め定められている。反転させた後に設定されるチャンネルは、チャンネルを反転させる旨の指示の受付前にコンテンツの選択の対象となっていたチャンネルに対するチャンネルの順序の差が選局チャンネルの総数の半分に対し小数点以下の値の切上げおよび切下げのいずれかをした値に等しい。これにより、図１６の横向きの矢印で指定されるチャンネルは、チャンネル「２−１」に対応するチャンネル「４−１」に変更される。制御部７２は、テレビ８０に、選択されたチャンネルに対応するコンテンツの情報を表示させる（Ｓ１１０）。図２０は、チャンネルが変更された結果、テレビ２０が、チャンネル「４−１」に対応するコンテンツ情報を表示していることを表わす図である。コンテンツの情報が表示されると、リモコン受信部３６は、リモコン５２からの、選択されるコンテンツを表わす信号を受付ける（Ｓ１１２）。これにより、リモコン受信部３６は、コンテンツの選択を受付けることとなる。信号が受付けられると、制御部７２は、デコーダ７４の入力をＨＤ装置６４に切替える。ＨＤ装置６４は、対応するコンテンツの信号をハードディスクから読出し、デコーダ７４に出力する。デコーダ７４は、信号を復号し、映像出力部６８に出力する。映像出力部６８は、復号された信号をテレビ８０に出力する（Ｓ１１４）。
【００６７】
以上のようにこの実施の形態によれば、複雑な操作がなくても、ユーザは反転キー５２８の操作により、コンテンツの情報を順次表示させることができる。多くのチャンネルで放送された多くのコンテンツを録画する場合、ユーザが観たいコンテンツを容易に選択できる。
【００６８】
なお、本発明は上述の実施の形態の構成に限られることなく種々の変形が可能であり、たとえばデジタルコンテンツを再生する装置は、ＨＤ装置６４やＤＶＤ再生装置６２に限られることなく、ＣＤ−ＲＯＭ（Compact Disc Read Only Memory)再生装置その他の光磁気ディスク再生装置を適用してよい。また、デジタルコンテンツを記録・再生する装置はＨＤ装置６４やＤＶＤ装置２に限定されることなく、大容量のデジタルデータを高速に記録・再生可能な他の装置であってもかまわない。
【００６９】
また、「種別および名称」を表わす情報欄のチャンネルの総数が奇数である場合、１つのチャンネルが、複数の「種別および名称」を表わす情報欄のチャンネルに対応付けられてもよい。
【００７０】
また、コンテンツの選択を受付ける際、コンテンツの情報としてサムネイルを表示させてもよい。
【００７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【図面の簡単な説明】
【００７２】
【図１】この発明の第１の実施の形態に係るテレビの構成図である。
【図２】この発明の第１の実施の形態に係るリモコンのキー配置例を示す図である。
【図３】この発明の第１の実施の形態に係るチャンネルマップの内容例を示す図である。
【図４】この発明の第１の実施の形態に係るチャンネルや外部入力同士の関係を示す図である。
【図５】この発明の第１の実施の形態に係るチャンネルの切換選択の手順を示すフローチャートである。
【図６】この発明の第１の実施の形態に係る電源が投入された時点の表示部の画像を示す図である。
【図７】この発明の第１の実施の形態に係る最初にチャンネルが切替えられた時点の表示部の画像を示す図である。
【図８】この発明の第１の実施の形態に係る２番目にチャンネルが切替えられた時点の表示部の画像を示す図である。
【図９】この発明の第１の実施の形態に係る３番目にチャンネルが切替えられた時点の表示部の画像を示す図である。
【図１０】この発明の第１の実施の形態に係る４番目にチャンネルが切替えられた時点の表示部の画像を示す図である。
【図１１】この発明の第１の実施の形態に係るチャンネルが反転された時点の表示部の画像を示す図である。
【図１２】この発明の第１の実施の形態に係るテレビに多くのチャンネルが登録された場合のチャンネル同士の関係の一例を示す図である。
【図１３】この発明の第１の実施の形態の第１の変形例に係るチャンネルマップに登録されたチャンネルの総数が奇数である場合のチャンネル同士の関係の一例を示す図である。
【図１４】この発明の第１の実施の形態の第１の変形例に係るチャンネルマップの内容の一例を示す図である。
【図１５】この発明の第２の実施の形態に係るＤＶＤレコーダの構成図である。
【図１６】この発明の第２の実施の形態に係るチャンネルマップの内容例を示す図である。
【図１７】この発明の第２の実施の形態に係るチャンネル同士の関係を示す図である。
【図１８】この発明の第２の実施の形態に係るチャンネルの切換選択の手順を示すフローチャートである。
【図１９】この発明の第２の実施の形態に係る電源が投入された時点のテレビの画像を示す図である。
【図２０】この発明の第２の実施の形態に係るチャンネルが反転された時点のテレビの画像を示す図である。
【符号の説明】
【００７３】
２０，８０  テレビ、２２  チューナ、２４  外部Ｉ／Ｆ、２６，７４  デコーダ、２８  フロントエンド、３０，６６  メモリ、３２，６８  映像出力部、３４，７０  音声出力部、３６  リモコン受信部、３８，７２  制御部、４０  表示部、５０  外部装置、５２  リモコン、６２  ＤＶＤ再生装置、６４  ＨＤ装置、２２２  アンテナ、２６２  ＯＳＤ、３０２  チャンネルマップ、５２２  電源キー、５２４  正方向キー、５２６  逆方向キー、５２８  反転キー、５３０  テンキー、６６２  コンテンツマップ、６６４  インデックスデータ。
【図１】
2006237984.tif 000003
【図２】
2006237984.tif 000004
【図３】
2006237984.tif 000005
【図４】
2006237984.tif 000006
【図５】
2006237984.tif 000007
【図６】
2006237984.tif 000008
【図７】
2006237984.tif 000009
【図８】
2006237984.tif 000010
【図９】
2006237984.tif 000011
【図１０】
2006237984.tif 000012
【図１１】
2006237984.tif 000013
【図１２】
2006237984.tif 000014
【図１３】
2006237984.tif 000015
【図１４】
2006237984.tif 000016
【図１５】
2006237984.tif 000017
【図１６】
2006237984.tif 000018
【図１７】
2006237984.tif 000019
【図１８】
2006237984.tif 000020
【図１９】
2006237984.tif 000021
【図２０】
2006237984.tif 000022